(57)【要約】  【課題】シール部材を用いることなく、ケーシングの開口と手掛具の縁部との隙間から本体内に水が侵入しない手掛装置を備えた空気調和機の室外機を提供する。  【解決手段】ケーシング内が熱交換器室と機械室とに区画されるとともに、少なくとも背面側に吸込口を備え、前面側に吹出口を備え、前記ケーシングに設けられた開口に合成樹脂製の手掛具３０が装着された手掛装置を備えてなる空気調和機の室外機であって、前記手掛具３０は、前記開口３ａの周縁部外面に背面が当接する手掛フランジ部３ｄを備えてなり、前記手掛フランジ部３ｄは、その背面上部に形成された左右に延びる左右溝３ｈ，３ｋと、同左右溝３ｈ，３ｋに連続して背面両側部に形成され、下方を開放して上下に延びる上下溝３ｉ，３ｌとからなる溝部３ｇ，３ｊを備えた。【選択図】図２
2011208822.tif 000002
【特許請求の範囲】
【請求項１】
ケーシング内が熱交換器室と機械室とに区画されるとともに、少なくとも背面側に吸込口を備え、前面側に吹出口を備え、前記ケーシングに設けられた開口に合成樹脂製の手掛具が装着された手掛装置を備えてなる空気調和機の室外機であって、
前記手掛具は、前記開口の周縁部外面に背面が当接する手掛フランジ部を備えてなり、
前記手掛フランジ部は、その背面上部に形成された左右に延びる左右溝と、同左右溝に連続して背面両側部に形成され、下方を開放して上下に延びる上下溝とからなる溝部を備えてなることを特徴とする空気調和機の室外機。
【請求項２】
前記溝部は、前記手掛フランジ部に複数設けられてなることを特徴とする請求項１に記載の空気調和機の室外機。
【請求項３】
前記左右溝は、中央部から両側部に向けて低くなるように傾斜させてなることを特徴とする請求項１に記載の空気調和機の室外機
【発明の詳細な説明】
【技術分野】
【０００１】
本発明は、空気調和機の室外機に係わり、より詳細には、手掛装置の構造に関する。
【背景技術】
【０００２】
従来の手掛装置を備えた空気調和機の室外機として、図５（Ａ）および図５（Ｂ）に示すように、ケーシング２２内で互いに近接して配置される複数の冷媒用の金属製の管（キャピラリチューブ）５１が、相互に接触することにより発生する金属音を抑制するものが知られている。
【０００３】
空気調和機の室外機１００の内部は、仕切板２１によって、外気を吸い込む吸込口２ａを臨ませるように熱交換器４を配置した熱交換器室Ｉと、図示しない圧縮機や、複数の冷媒用の金属製の管（キャピラリチューブ）５１を配置した機械室Ｈとに区画されている。
【０００４】
機械室Ｈの少なくとも背面側を覆っている板金製のケーシング２２には開口２ｃが設けられており、この開口２ｃと、開口２ｃに装着される手指を掛けるための合成樹脂製の手掛具３１と、冷媒用の複数の金属製の管（キャピラリチューブ）５１を保持する合成樹脂製の保持具３２とで、手掛装置３が構成されている。
【０００５】
手掛具３１は、開口２ｃの周縁部に手掛具３１の縁部３１ｂが係合して装着された際、この縁部３１ｂの上部位置に手指に馴染みやすいように架設部３１ｃが連続形成されていることにより、手指を掛けやすくした構成になっている。
【０００６】
また、手掛装置３を構成する手掛具３１は、何らかの外力が作用することで、手掛具３１の縁部３１ｂが開口２ｃから外れることによって機械室Ｈ内に落下しないように、装着時のガタつき（遊び）をなくして、強固に装着されるように工夫された構成になっている。
【０００７】
すなわち、開口２ｃに装着された手掛具３１の後部に、複数の冷媒用の金属製の管（キャピラリチューブ）５１を保持するための保持具３２を一体成形することで手掛装置３が構成されており、この保持具３２が複数の冷媒用の金属製の管（キャピラリチューブ）５１を保持することによって、手掛具３１の縁部３１ｂが開口２ｃから外れなくなるように工夫されている。
【０００８】
また、手掛穴部３１ａは上方に膨出させることで、手指を掛けた時に指先を収容できるように構成されるとともに、手掛具３１の縁部３１ｂが開口２ｃの周縁部の外面側から係合しているのに対し、上方に膨出させた手掛穴部３１ａの端面３１ｄをケーシング２２の内面側に当接させることで、手掛具３１を確実に装着できるようにしている。
【０００９】
これらにより、図示しない圧縮機などの振動を受けた場合であっても、複数の冷媒用の金属製の管（キャピラリチューブ）５１が揺れることで互いに接触してしまうのを防ぐことができるとともに、ガタつき（遊び）のない強固な手掛装置３となり、冷媒用の複数の金属製の管（キャピラリチューブ）５１に緩衝材を貼り付ける処置を施すことで、相互の接触により発生する金属音を抑制するといった処置を施す必要がない構成になっていた（例えば、特許文献１）。
【００１０】
しかしながら、例えば、室外機１００が設置されている屋外の風雨が激しい場合、手掛具３１の縁部３１ｂが開口２ｃの周縁部の外面側から係合している係合部において、この係合部がシールされていない構成であることから、縁部３１ｂと開口２ｃとの僅かな隙間から機械室Ｈ内に雨水が侵入してしまう虞があった。
【００１１】
これにより、縁部３１ｂと開口２ｃとの僅かな隙間から侵入した雨水は、機械室Ｈ内に配置された図示しない電装品や配管類に悪影響を及ぼす虞があり、また、機械室Ｈ内に配置された図示しない圧縮機を覆う圧縮機カバー（断熱部材）に汚れといっしょに吸着されて、この圧縮機カバーにカビが発生することになり、圧縮機カバーを劣化させてしまうとともに、異臭の原因になってしまうという問題点を有していた。
【００１２】
そのため、手掛具３１の縁部３１ｂが開口２ｃの周縁部の外面側から係合している係合部に、この係合部の隙間をシールするためのシール部材を設けるといった対策が講じられていたが、シールするためのシール部材が必要になってしまうとともに、シール部材によって係合部の隙間をシールするための工数が必要になってしまうことになり、また、シール部材が係合部の外側にはみ出ることになって外観性を損ねてしまうという問題点を有していた。
【先行技術文献】
【特許文献】
【００１３】
【特許文献１】特開２００９−１６２４６５号公報
【発明の概要】
【発明が解決しようとする課題】
【００１４】
そこで、本発明は上述した課題を解決するためになされたものであって、その目的は、シール部材を用いることなく、ケーシングの開口と手掛具の縁部との隙間から本体内に水が侵入しない手掛装置を備えた空気調和機の室外機を提供することにある。
【課題を解決するための手段】
【００１５】
上述した目的を達成できるように構成するため、本発明は以下に示す特徴を備えている。
【００１６】
ケーシング内が熱交換器室と機械室とに区画されるとともに、少なくとも背面側に吸込口を備え、前面側に吹出口を備え、前記ケーシングに設けられた開口に合成樹脂製の手掛具が装着された手掛装置を備えてなる空気調和機の室外機であって、
前記手掛具は、前記開口の周縁部外面に背面が当接する手掛フランジ部を備えてなり、
前記手掛フランジ部は、その背面上部に形成された左右に延びる左右溝と、同左右溝に連続して背面両側部に形成され、下方を開放して上下に延びる上下溝とからなる溝部を備えてなることを特徴としている。
【００１７】
また、前記溝部は、前記手掛フランジ部に複数設けられてなることを特徴としている。
【００１８】
また、前記左右溝は、中央部から両側部に向けて低くなるように傾斜させてなることを特徴としている。
【発明の効果】
【００１９】
本発明によれば、シール部材を用いることなく、ケーシングの開口と手掛具の縁部との隙間から本体内に水が侵入しない手掛装置を備えた空気調和機の室外機を提供できる。
【図面の簡単な説明】
【００２０】
【図１】本発明による空気調和機の室外機の説明図で、（Ａ）は前面側から見た外観斜視図であり、（Ｂ）は背面側から見た外観斜視図である。
【図２】本発明による空気調和機の室外機の要部説明図で、（Ａ）は開口に手掛具を装着した状態をケーシングまたは前面カバーの外面側から見た説明図であり、（Ｂ）は図２（Ａ）に示すＡ−Ａ断面図として開口の上部係止部および手掛具の第一係止爪と傾斜下面の先端および手掛具の第二係止爪との間を含む開口下縁部との間を結んだ図であり、（Ｃ）は図２（Ａ）に示すＢ−Ｂ断面図として開口のＬ字部および手掛具の架設部と傾斜下面の先端および手掛具の第二係止爪との間を含む開口下縁部との間を結んだ図であり、（Ｄ）は図２（Ａ）に示すＦ矢視図である。
【図３】本発明による空気調和機の室外機の要部説明図で、（Ａ）はケーシングまたは前面カバーの内面側から開口を見た図であり、（Ｂ）は開口の周縁部に形成される上部係止部および延出部を含む展開図である。
【図４】本発明による空気調和機の室外機の要部説明図で、（Ａ）は開口に手掛具の装着を開始する状態（ＳＴＥＰ１）を示す断面図であり、（Ｂ）は開口に手掛具を装着する途中の状態（ＳＴＥＰ２）を示す断面図であり、（Ｃ）は開口に手掛具を装着した状態（ＳＴＥＰ３）を示す断面図である。
【図５】従来例による空気調和機の室外機の要部説明図で、（Ａ）は背面側から見た外観斜視図であり、（Ｂ）は要部断面図である。
【発明を実施するための形態】
【００２１】
以下、本発明を実施するための形態を、添付図面に基づいた実施例として詳細に説明する。
【００２２】
本発明による空気調和機の室外機（以下、室外機１という）は、図１（Ａ）および図１（Ｂ）に示すように、室外機１の外郭をなす前後面および側面が板金製のケーシング２で構成され、ケーシング２の前面には板金製の前面カバー２０が着脱可能に設けられ、上面には板金製の天板６が設けられるとともに、底面には板金製の底板７が設けられている。
【００２３】
室外機１の背面および一側面には、外気を吸い込むための吸込口２ａが設けられるとともに、室外機１の前面には吹出口２ｂが設けられている。
【００２４】
また、室外機１の内部は、図５（Ａ）に基づいて上述したのと同様に、図１（Ａ）および図１（Ｂ）に示すように仕切板２１によって機械室Ｈと熱交換器室Ｉとに区画されている。
【００２５】
熱交換器室Ｉには、熱交換器４が外気を吸い込むための吸込口２ａを臨ませるように配置され、機械室Ｈには、圧縮機カバー（断熱材）９で覆われた圧縮機８や図示しない電装品等が配置されている。
【００２６】
ケーシング２は、室外機１の前面側に備えた吹出口２ｂに隣接するように、ケーシング２の一部を構成する着脱可能な板金製の前面カバー２０を備えており、この前面カバー２０を取り外すことによって、機械室Ｈの前面部および機械室Ｈの前部寄りとなる側面部の一部を夫々開放できるようにした構成となっており、このように開放することで、機械室Ｈの内部に備えている圧縮機８や図示しない電装品等をメンテナンスできるようになる。
【００２７】
そのため、ケーシング２の一部を構成する前面カバー２０は、機械室Ｈ側の前面部および機械室Ｈ側の前部寄りとなる側面部の一部をカバーできるように、断面Ｌ字状に折曲形成された構成になっている。
【００２８】
すなわち、機械室Ｈ側の前面部は、ケーシング２の一部を構成する前面カバー２０によってカバーされる一方、機械室Ｈ側の後面部は、ケーシング２の一部によって構成されており、少なくとも、これら機械室Ｈ側の前面部をカバーする前面カバー２０および機械室Ｈ側の後面部を構成するケーシング２には、室外機１を設置するために移動させる際、作業者が手指を掛けるのに好適となる位置に手掛装置３が設けられている。
【００２９】
なお、手掛装置３は、機械室Ｈ側の後面部を構成するケーシング２および機械室Ｈ側の前面部をカバーする前面カバー２０に夫々設けられた構成として以下に説明するが、作業者が手指を掛けるのに好適となる位置であれば、ケーシング２および前面カバー２０のどの位置に設けられるように構成してもよい。
【００３０】
手掛装置３は、室外機１が１００キログラム重程度、あるいは、それ以上に重い大型のものである場合にも、図２（Ａ）乃至図２（Ｄ）に示すように、設置時に移動させるために手指を掛ける合成樹脂製の手掛具３０を備えることで、例えば、板金の折り返しによって手掛け構造を形成するような場合に較べて、手指が触れる面積を大きく確保できるようになり、掛けた手指が馴染みやすい手掛け構造になって、馴染ませた手指の力を手掛具３０に掛けやすくなる。
【００３１】
ケーシング２および前面カバー２０には、圧縮機カバー（断熱材）９で覆われた圧縮機８や、図示しない電装品等が設置されている機械室Ｈを臨ませた貫通孔として、図３（Ａ）に示すような略矩形状に形成された開口２ｃが設けられている。
【００３２】
ケーシング２および前面カバー２０に設けられた開口２ｃの上縁部は、図２（Ｃ）および図４（Ａ）に示すように、ケーシング２および前面カバー２０の内側に折り曲げた水平状のＬ字部２ｉが折曲形成されており、これによって、該箇所の強度が増加されるとともに、図２（Ｂ）と図３（Ａ）および図３（Ｂ）と、図４（Ａ）乃至図４（Ｃ）とに示すように、Ｌ字部２ｉの一部が切欠されることにより、手掛具３０に備えた複数の第一係止爪３ｃを係止する複数の上部係止部２ｇが切込形成されている。
【００３３】
そして、ケーシング２および前面カバー２０に設けられた開口２ｃの周縁部には、ケーシング２および前面カバー２０の内側に膨出するように形成された段部２ｄが設けられており、この段部２ｄが設けられたことによって、開口２ｃおよびその周縁部の強度を増強できるとともに、後述する手掛具３０に備えた手掛フランジ部３ｄを段部２ｄに収容できることになって外観性が良好になる。
【００３４】
開口２ｃの下縁部には、この開口２ｃを形成する際、図２（Ｂ）と、図３（Ａ）と、図４（Ａ）乃至図４（Ｃ）とに示すように、開口２ｃの内側である機械室Ｈ内に向け、手掛具３０の下部に沿うように延びる延出部５が、先端５ａに行くにしたがって高く傾斜するように折曲形成されている。
【００３５】
段部２ｄを有する開口２ｃの上縁部に折曲形成される水平状のＬ字部２ｉと、下縁部に折曲形成される傾斜した延出部５とは、図３（Ｂ）に破線で示す折曲部ａで折り曲げることで、図３（Ａ）および図４（Ａ）に示す状態に折曲形成されることになる。
【００３６】
なお、水平状のＬ字部２ｉは、図３（Ａ）および図３（Ｂ）に示すように、左右方向の中心位置Ｄから両側部に向けて低く傾斜させることで、後述する手掛フランジ部３ｄに設けられる第一の左右溝３ｈおよび第二の左右溝３ｋと略平行になる構成にしてもよく、また、図示はしないが、図３（Ｂ）に破線で示す折曲部ａを水平状にして形成してもよい。
【００３７】
開口２ｃの下縁部に折曲形成された延出部５は、手掛具３０の下部に沿うように傾斜して延出されたことにより、例えば、合成樹脂製の手掛具３０が近隣の火災によって高温に晒されることで溶け始めた場合、溶け始めて落下した手掛具３０を受けて開口２ｃから機外に排出できるようになっており、これによって、溶け始めて火種となった手掛具３０を機械室Ｈ内に落下させる虞がない構成になっている。
【００３８】
手掛具３０は、合成樹脂製による成形品であって、図２（Ａ）乃至図２（Ｄ）と、図４（Ａ）乃至図４（Ｃ）とに示すように、装着時に開口２ｃの周縁部に設けられた段部２ｄに当接する手掛フランジ部３ｄと、手指を挿入する手掛穴部３ａと、挿入された手指の指先を収容するように手掛穴部３ａに連続形成された凹部３ｂと、開口２ｃの上縁に切込形成された複数の上部係止部２ｇに係止する複数の第一係止爪３ｃと、延出部５の先端５ａに係止する複数の第二係止爪３ｅと、指先が手掛穴部３ａから挿入され、かつ、凹部３ｂに収容されることによって手指を掛ける架設部３ｆとを備えた構成になっている。
【００３９】
手指を掛けるための架設部３ｆは、図２（Ｃ）に示すように、開口２ｃの上縁部に折曲形成されたＬ字部２ｉの全域に当接した構成になっており、この架設部３ｆは、同図において紙面の左右位置となる前端縁３ｆ１および後端縁３ｆ２の全域（同図の紙面垂直方向の全域）に丸みをもたせるように形成されることで、この架設部３ｆを含む凹部３ｂに手指が馴染みやすくなるため、掛けた手指の力を、手掛具３０を介してＬ字部２ｉが折曲形成されている開口２ｃの上縁部に掛けやすくなる。
【００４０】
合成樹脂製による手掛具３０は、ケーシング２および前面カバー２０の外面側から開口２ｃに装着される際、図４（Ａ）にＳＴＥＰ１として示す矢印ｂのように、先ず、手掛具３０の凹部３ｂを開口２ｃから挿入して斜め上方に押し上げることで、開口２ｃの上縁に切込形成された複数の上部係止部２ｇに複数の第一係止爪３ｃを係合する。
【００４１】
次に、図４（Ｂ）にＳＴＥＰ２として示すｃ部のように、複数の上部係止部２ｇに係合した複数の上部係止爪３ｃを中心位置にして、同図に示す矢印ｄのように、手掛具３０の下位部を開口２ｃの下縁部に向けて移動させ、かつ、押圧することにより、図４（Ｃ）にＳＴＥＰ３として示すように、手掛具３０に備えた複数の第二係止爪３ｅが延出部５の先端５ａに係止し、同時に、複数の第一係止爪３ｃが開口２ｃの上縁に切込形成された複数の上部係止部２ｇに係止して、手掛具３０が開口２ｃに装着されることになる。
【００４２】
手掛具３０は、複数の上部係止部   ２ｇに第一係止爪３ｃを係合し、次に、延出部５の先端５ａに複数の第二係止爪３ｅを係止すると同時に、複数の上部係止部２ｇに複数の第一係止爪３ｃを係止して、開口２ｃの周縁部に設けられた段部２ｄに手掛フランジ部３ｄを当接させることにより、ガタ付き（遊び）が生じないように、また、簡単に離脱してしまうことがないように開口２ｃに強固に装着されることになる。
【００４３】
なお、第二係止爪３ｅは、延出部５の先端５ａに係止されるように形成される構成に限らず、図示はしないが、開口２ｃの両側縁に係止されるように形成した構成してもよいし、必ずしも、延出部５が設けられた構成にしなくてもよい。
【００４４】
段部２ｄに当接した手掛フランジ部３ｄには、図２（Ａ）乃至図２（Ｄ）に示すように、段部２ｄに当接する側を開放した第一の溝部３ｇが設けられている。
【００４５】
第一の溝部３ｇは、左右方向に延びる第一の左右溝３ｈと、この第一の左右溝３ｈの両側部に連続して形成され、下方が開放されて上下方向に延びる第一の上下溝３ｉとからなる構成になっている。
【００４６】
これにより、例えば、室外機１が設置されている屋外の風雨が激しい場合、段部２ｄと、これに当接した手掛フランジ部３ｄとの僅かな隙間から雨水が侵入した（染み込んだ）としても、第一の左右溝３ｈおよび第一の上下溝３ｉからなる第一の溝部３ｇに到ることで、僅かな隙間から急激に広い流路となる第一の溝部３ｇに出た雨水が導かれやすくなって、図２（Ｂ）に示す矢印Ｇのように、下方が開放された第一の上下溝３ｉから開口２ｃの下部周縁の外面側に導かれることになる。
【００４７】
第一の溝部３ｇを構成する第一の左右溝３ｈは、図２（Ａ）に示すように、左右方向の中央部Ｅから両側部に向けて順次低くなるように傾斜させた構成になっており、これによって、侵入した雨水を第一の左右溝３ｈから第一の上下溝３ｉに向けて円滑に導けるようになる。
【００４８】
第一の上下溝３ｉに導かれた雨水は、開放された第一の上下溝３ｉの下方に流れ出て、図２（Ｂ）に示す矢印Ｇのように開口２ｃの下部周縁の外面側に沿って機外に排出されることになる。
【００４９】
すなわち、段部２ｄと手掛フランジ部３ｄとの僅かな隙間から雨水が侵入したとしても、第一の左右溝３ｈおよび第一の上下溝３ｉからなる第一の溝部３ｇによって開口２ｃに向かう雨水が縁切りされる（途切れる）ことになって、開口２ｃの周縁から機械室Ｈ内に雨水が侵入する虞がない構成になる。
【００５０】
また、第一の溝部３ｇの内側となる手掛フランジ３ｄの基端部の側に、図２（Ａ）乃至図２（Ｄ）に示すように、段部２ｄに当接する側を開放した第二の溝部３ｊが設けられてなる構成にしてもよい。
【００５１】
第二の溝部３ｊは、左右方向に延びる第二の左右溝３ｋと、この第二の左右溝３ｋの両側部に連続して形成され、下方が開放されて上下方向に延びる第二の上下溝３ｌとからなり、図２（Ｄ）に示すように、開口２ｃの周縁との間において、段部２ｄに所定の幅を有する当接部３ｍを当接させた構成になっている。
【００５２】
第二の溝部３ｊを構成する第二の左右溝３ｋは、図２（Ａ）に示すように、左右方向の中央部Ｅから両側部に向けて順次低くなるように傾斜させた構成になっており、これによって、侵入した雨水を第二の左右溝３ｋから第二の上下溝３ｌに向けて円滑に導けるようになる。
【００５３】
第二の溝部３ｊが設けられたことにより、第一の溝部３ｇに侵入した雨水が、仮に、段部２ｄと、この段部２ｄに当接した手掛フランジ部３ｄとの僅かな隙間から、更に、第一の溝部３ｇの内側となる手掛フランジ３ｄの基端部の側に向けて侵入したとしても、第二の左右溝３ｋおよび第二の上下溝３ｌからなる第二の溝部３ｊによって、図２（Ｂ）に示す矢印Ｇのように開口２ｃの下部周縁の外面側に導かれることになる。
【００５４】
機械室Ｈ内に雨水が侵入しない構成にすることで、機械室Ｈ内に配置された図示しない電装品や配管類に雨水が悪影響を及ぼす虞がなくなり、また、機械室Ｈ内に配置された圧縮機８を覆う圧縮機カバー９に汚れといっしょに吸着されてこの圧縮機カバー９にカビが発生することがなくなって、圧縮機カバー９を劣化させてしまう虞がなくなるとともに、異臭の原因になってしまう虞がなくなる。
【００５５】
また、例えば、板金製の段部２ｄ、または、合成樹脂製の手掛フランジ部３ｄに僅かな反りや変形がある場合、とくに、段部２ｄと、手掛フランジ部３ｄの外周部とに隙間が生じることで、第一の溝部３ｇに侵入する雨水の量が多くなって、第一の溝部３ｇから手掛フランジ３ｄの基端部の側に向けて侵入しやすくなったとしても、第二の溝部３ｊにより雨水が縁切りされることになって、図２（Ｂ）に示す矢印Ｇのように、下方が開放された第一の溝部３ｇおよび第二の上下溝３ｌから開口２ｃの下部周縁の外面側に導かれることになる。
【００５６】
その際、第一の溝部３ｇおよび第二の溝部３ｊでガイドされながら滴下した雨水は、開口２ｃの下部周縁の外面側に導かれることになって機械室Ｈ内に雨水が侵入しない構成になる。
【００５７】
第一の溝部３ｇおよび第二の溝部３ｊからなる溝部でガイドされ、開口２ｃの下部周縁の外面側に導かれた雨水は段部２ｄによって分散されることになり、流れの勢いを抑えながら筋状の流れにならないようにすることで、ケーシング２または前面カバー２０の表面に汚れが筋状に集中して付着しないようになる。
【００５８】
開口２ｃの下部周縁には段部２ｄが設けられており、図２（Ｂ）乃至図２（Ｄ）に示すようにこの段部２ｄに手掛フランジ部３ｄが収容されているため、手掛フランジ部３ｄがケーシング２および前面カバー２０の外面側から突出しない構成になって外観性を良好にしている。
【００５９】
また、相互に当接している段部２ｄと手掛フランジ部３ｄとの当接部は、ケーシング２または前面カバー２０の表面から奥まった位置にあることから、降雨が当接部には直接に掛かりにくい構成になっている。
【００６０】
第一の左右溝３ｈおよび第一の上下溝３ｉからなる第一の溝部３ｇが設けられるとともに、第二の左右溝３ｋおよび第二の上下溝３ｌからなる第二の溝部３ｊが設けられることによって、図２（Ａ）乃至図２（Ｄ）に示すように、段部２ｄに当接する手掛フランジ部３ｄに、互いに平行な二重構造でなる溝部が形成された構成になる。
【００６１】
そのため、室外機１が設置されている屋外の風雨が激しい場合、段部２ｄと、段部２ｄに当接する手掛フランジ部３ｄとの僅かな隙間から雨水が侵入したとしても、第一の左右溝３ｈおよび第一の上下溝３ｉからなる第一の溝部３ｇによって、図２（Ｂ）に示す矢印Ｇのように開口２ｃの下部周縁の外面側に導かれることになり、また、仮に第一の溝部３ｇの内側となる手掛フランジ３ｄの基端部の側に向けて更に侵入したとしても、第二の左右溝３ｋおよび第二の上下溝３ｌからなる第二の溝部３ｊによって、図２（Ｂ）に示す矢印Ｇのように開口２ｃの下部周縁の外面側に導かれることになる。
【００６２】
すなわち、段部２ｄと、段部２ｄに当接する手掛フランジ部３ｄとの僅かな隙間から雨水が侵入したとしても、第一の溝部３ｇおよび第二の溝部３ｊによって、開口２ｃに向けて雨水が侵入しないように縁切りされることになる。
【００６３】
これによって、開口２ｃの周縁部に設けられた段部２ｄと、この段部２ｄに当接する手掛フランジ部３ｄとの僅かな隙間から侵入した雨水を機外に排出できるようになり、機械室Ｈ内に雨水が侵入してしまう虞がない構成にした空気調和機の室外機となる。
【符号の説明】
【００６４】
１  空気調和機の室外機
２  ケーシング
２０  前面カバー
２１  仕切板
２ａ  吸込口
２ｂ  吹出口
２ｃ  開口
２ｄ  段部
２ｇ  上部係止部
２ｉ  Ｌ字部
３  手掛装置
３０  手掛具
３ａ  手掛穴部
３ｂ  凹部
３ｃ  第一係止爪
３ｄ  手掛フランジ
３ｅ  第二係止爪
３ｆ  架設部
３ｆ１  前端縁
３ｆ２  後端縁
３ｇ  第一の溝部
３ｈ  第一の左右溝
３ｉ  第一の上下溝
３ｊ  第二の溝部
３ｋ  第二の左右溝
３ｌ  第二の上下溝
３ｍ  当接部
４  熱交換器
５  延出部
５ａ  先端
６  天板
７  底板
８  圧縮機
９  圧縮機カバー（断熱材）
Ｈ  圧縮機室
Ｉ  熱交換器室
【図１】
2011208822.tif 000003
【図２】
2011208822.tif 000004
【図３】
2011208822.tif 000005
【図４】
2011208822.tif 000006
【図５】
2011208822.tif 000007